(57)【要約】【課題】本発明は空気清浄機の発光表示部に関するもので、空気清浄機の発光表示部の視認性向上ができるものである。【解決手段】そしてこの目的を達成するために本発明は、空気清浄フィルター５と空気の汚れ度合を色表示する発光表示部８とを本体ケース４に設け、この発光表示部８は、導光体部９と、複数の第１の発光部１０と、複数の第２の発光部１１とから形成し、第１の発光部は、導光体部９に対向すると共に、隣り合う第１の発光部１０は、導光体部の長手方向において第１の発光部間距離１２を有して配設し、第２の発光部１１は、導光体部に対向すると共に、隣り合う第２の発光部１１は、導光体部の長手方向において第２の発光部間距離１３を有して配設し、第１の発光部１０より発光する可視光の波長は、第２の発光部１１より発光する可視光の波長より長く、第１の発光部間距離１２は、第２の発光部間距離１３より短い構成とした。【選択図】図３
2012032586.tif 000002
【特許請求の範囲】
【請求項１】
空気清浄手段と空気の汚れ度合を色表示する発光表示部とを本体ケースに設け、この発光表示部は、略横長平板形状の導光体部と、複数の第１の発光部と、複数の第２の発光部とから形成し、前記本体ケースは、箱形の形状で、前記導光体部は、略横長四角平板形状で前記本体ケースにおける前面側面部に位置し、前記第１の発光部は、前記導光体部に対向すると共に、隣り合う前記第１の発光部は、前記導光体部の長手方向において第１の発光部間距離を有して配設し、前記第２の発光部は、前記導光体部に対向すると共に、隣り合う前記第２の発光部は、前記導光体部の長手方向において第２の発光部間距離を有して配設し、前記第１の発光部より発光する可視光の波長は、前記第２の発光部より発光する可視光の波長より長く、前記第１の発光部間距離は、前記第２の発光部間距離より短い構成とした空気清浄機の発光表示装置。
【請求項２】
前記第１の発光部は、赤色のＬＥＤで、前記第２の発光部は、青色のＬＥＤで構成した請求項１に記載の空気清浄機の発光表示装置。
【請求項３】
前記第１の発光部と前記導光体部との距離は、前記第２の発光部と前記導光体部との距離より長い構成とした請求項１または２に記載の空気清浄機の発光表示装置。
【請求項４】
前記導光体部の周縁部を囲む横長四角筒形状の枠部を設けた請求項１〜３のいずれかに記載の空気清浄機の発光表示装置。
【請求項５】
前記導光体部は、上方向に傾斜した構成とした請求項１〜３のいずれかに記載の空気清浄機の発光表示装置。
【請求項６】
前記導光体部の周縁部を囲む横長四角筒形状の前記枠部を設け、この前記枠部は、前記導光体部の周縁部の上部を囲む、横長四角平板形状の上部枠部と、前記導光体部の周縁部の下部を囲む、横長四角平板形状の下部枠部と、前記導光体部の周縁部の側面部を囲む、台形形状の側面部枠部とから形成し、前記本体ケースでの前面側側面から後面側側面の方向における前記下部枠部の長さは、前記本体ケースでの前面側側面から後面側側面の方向における前記上部枠部の長さより長い構成とした請求項５に記載の空気清浄機の発光表示装置。
【請求項７】
前記導光体部の前記本体ケースでの前面側に、凹凸形状を設けた請求項１〜６のいずれかに記載の空気清浄機の発光表示装置。
【請求項８】
前記導光体部は、前記本体ケースでの天面側から底面側への方向において、前記本体ケースでの前面側へ凸形状の円弧形状で構成した請求項１〜７のいずれかに記載の空気清浄機の発光表示装置。
【請求項９】
前記枠部の内面は、白色系の色で構成された請求項１〜８のいずれかに記載の空気清浄機の発光表示装置。
【請求項１０】
前記枠部の内面は、鏡面状で構成された請求項１〜９のいずれかに記載の空気清浄機の発光表示装置。
【発明の詳細な説明】
【技術分野】
【０００１】
本発明は、発行表示部を備えた空気清浄機に関する。
【背景技術】
【０００２】
従来のこの種の空気清浄機の構成は以下のようになっていた。
【０００３】
すなわち、空気清浄手段と空気の汚れ度合を色表示する発光表示部とを本体に設け、この発光表示部は、略横長平板形状の導光体部と、複数の発光部から形成し、本体は、箱形の形状で、導光体部は、略横長四角平板形状で本体における前面側面部に位置し、発光部は、導光体部に対向すると共に、隣り合う発光部は、導光体部の長手方向において発光部間距離を有して配設し、発光部は、赤色を発光する発光表示装置を設けた空気清浄機。（例えば、これに類似する先行文献は下記特許文献１に記載されている）。
【先行技術文献】
【特許文献】
【０００４】
【特許文献１】特開２００２−１４９００９８号公報
【発明の概要】
【発明が解決しようとする課題】
【０００５】
上記従来例における課題は、空気清浄機の発光表示部の視認性が悪いということであった。
【０００６】
すなわち、従来の物においては、略横長四角平板形状導光体部に対して、複数の同一色発光表示部を対向すると共に、隣り合う発光部は導光体部の長手方向において等間隔の発光部距離を有して配設し、発光するものである。ここで、例えば同様の構成で異なる色をもう一色、同じ導光体部で発光させると、２色の発光状態に差が発生する。つまり、２色の発光状態を比較すると一方は他方に比べ、連続の線状にならず、発光部の単一発光形状をそのまま表示し、発光表示部の視認性が悪いものであった。
【０００７】
そこで本発明は、空気清浄機の視認性向上を目的とするものである。
【課題を解決するための手段】
【０００８】
そしてこの目的を達成するために本発明は、空気清浄手段と空気の汚れ度合を色表示する発光表示部とを本体に設け、この発光表示部は、略横長平板形状の導光体部と、複数の第１の発光部と、複数の第２の発光部とから形成し、前記本体は、箱形の形状で、前記導光体部は、略横長四角平板形状で前記本体における前面側面部に位置し、前記第１の発光部は、前記導光体部に対向すると共に、隣り合う前記第１の発光部は、前記導光体部の長手方向において第１の発光部間距離を有して配設し、前記第２の発光部は、前記導光体部に対向すると共に、隣り合う前記第２の発光部は、前記導光体部の長手方向において第２の発光部間距離を有して配設し、前記第１の発光部より発光する可視光の波長は、前記第２の発光部より発光する可視光の波長より長く、前記第１の発光部間距離は、前記第２の発光部間距離より短い構成としたものである。
【０００９】
これにより、初期の目的を達成するものである。
【発明の効果】
【００１０】
以上のように本発明は、空気清浄手段と空気の汚れ度合を色表示する発光表示部とを本体に設け、この発光表示部は、略横長平板形状の導光体部と、複数の第１の発光部と、複数の第２の発光部とから形成し、前記本体は、箱形の形状で、前記導光体部は、略横長四角平板形状で前記本体における前面側面部に位置し、前記第１の発光部は、前記導光体部に対向すると共に、隣り合う前記第１の発光部は、前記導光体部の長手方向において第１の発光部間距離を有して配設し、前記第２の発光部は、前記導光体部に対向すると共に、隣り合う前記第２の発光部は、前記導光体部の長手方向において第２の発光部間距離を有して配設し、前記第１の発光部より発光する可視光の波長は、前記第２の発光部より発光する可視光の波長より長く、前記第１の発光部間距離は、前記第２の発光部間距離より短い構成とした空気清浄機の発光表示装置を備えたものであり、空気清浄機の発光表示部の視認性向上ができるものである。
【００１１】
すなわち、第１の発光部より発光する可視光の波長は、第２の発光部より発光する可視光の波長より長く、第１の発光部間距離は、第２の発光部間距離より短い構成とすることにより、波長の長い可視光は、直進性が強く、広角度が狭く、波長の短い可視光は、直進性が弱く、広角度は広いので、波長の異なる可視光で導光体部に発光した場合に、導光体部での発光が同程度に連続的に発光することができる。
【００１２】
これらの結果により、空気清浄機の発光表示部の視認性向上ができるものである。
【図面の簡単な説明】
【００１３】
【図１】本発明の実施の形態１の空気清浄機の概略図
【図２】同空気清浄機の概略断面を示す図
【図３】同空気清浄機の発光表示部を示す概略図
【発明を実施するための形態】
【００１４】
以下、本実施形態を添付図面を用いて説明する。
【００１５】
（実施の形態１）
本実施形態の空気清浄装置１は、図１、２に示すように、吸気口２と排気口３を有する縦長箱型の本体ケース４と、この本体ケース４内に空気清浄手段と送風手段６とを備えている。本体ケース４の側面には吸気口２を設け、本体ケース４の天面には排気口３を設けている。
【００１６】
空気清浄手段は蛇腹状に折られた濾材を額縁状の枠に固定された空気清浄フィルター５であり、吸気口２の近傍に設けられている。送風手段６は、空気清浄フィルター５と排気口３との間の風路に設けている。
【００１７】
本体ケース４の吸気口２と空気清浄フィルター５との間の風路に汚れ度合いを検知する汚れセンサー７を搭載している。送風手段６によって本体の吸気口２から吸い込まれた空気は、まず汚れセンサー７に流れ込むことになる。この汚れセンサー７によって検知した汚れ度合を色表示する発光表示部８を本体ケース４の前面側面部の上部に設けている。
【００１８】
この発光表示部８は、図３に示すように、略横長平板形状の導光体部９と、複数の第１の発光部１０と、複数の第２の発光部１１とから形成している。
【００１９】
これら複数の第１の発光部１０と、複数の第２の発光部１１とは、回路基板１４に固定されたＬＥＤである。ここで、導光体部９は、略横長平板形状、つまり厚みのある長方形状であり、この厚み方向にＬＥＤの光が進むように、複数の第１の発光部１０と、複数の第２の発光部１１と導光体部９とは対向している。
【００２０】
ここで、表示動作について説明する。吸気口２から吸い込まれた空気が、風路中にある汚れセンサー７によって検知され、所定の閾値よりも高い値が検出されると発光表示部８の第１の発光部１０が点灯し、吸気口２から吸い込まれた空気が、風路中にある汚れセンサー７によって検知され、所定の閾値よりも低い値が検出されると発光表示部の第２の発光部が点灯するものである。
【００２１】
本実施形態における特徴は、第１の発光部１０、第２の発光部１１と、これらの位置関係にある。具体的には、第１の発光部１０は、導光体部９に対向すると共に、隣り合う第１の発光部１０は、導光体部９の長手方向において第１の発光部間距離１２を有して配設し、第２の発光部１１は、導光体部９に対向すると共に、隣り合う第２の発光部１１は、導光体部９の長手方向において第２の発光部間距離１３を有して配設している。そして、第１の発光部１０より発光する可視光の波長は、第２の発光部１１より発光する可視光の波長より長く、第１の発光部間距離１２は、第２の発光部間距離１３より短い構成としたものである。
【００２２】
すなわち、第１の発光部より発光する可視光の波長は、第２の発光部より発光する可視光の波長より長く、第１の発光部間距離は、第２の発光部間距離より短い構成とすることにより、波長の長い可視光は、直進性が強く、広角度が狭く、波長の短い可視光は、直進性が弱く、広角度は広いので、波長の異なる可視光で導光体部に発光した場合に、導光体部での発光が同程度に連続的に発光することができる。
【００２３】
これらの結果により、空気清浄機の発光表示部の視認性向上ができるものである。
【００２４】
また、第１の発光部１０は、赤色のＬＥＤで、第２の発光部１１は、青色のＬＥＤで構成したものである。
【００２５】
すなわち、吸気口２から吸い込まれた空気が、風路中にある汚れセンサー７によって検知され、所定の閾値よりも高い値が検出されると発光表示部８の第１の発光部１０が赤色に点灯し、吸気口２から吸い込まれた空気が、風路中にある汚れセンサー７によって検知され、所定の閾値よりも低い値が検出されると発光表示部の第２の発光部が青色に点灯するので、室内の汚れ度合いが、色によって確認できるので、視認性が向上する。
【００２６】
また、第１の発光部１０と導光体部９との距離は、第２の発光部１１と導光体部９との距離より長い構成としたものである。具体的には、第１の発光部１０であるＬＥＤの先端と導光体部９との距離は、第２の発光部１１であるＬＥＤの先端と導光体部９との距離より長いものである。
【００２７】
すなわち、第１の発光部１０は可視光の波長の長い光は広角度が狭いため、導光体部９との距離を確保することにより、光の広角焦点距離が確保され、第２の発光部１１の可視光の波長の短かく広角度が広い虚像に近い発光表示することができる。つまり、波長の異なる可視光で導光体部に発光した場合に、導光体部での発光が同程度に連続的に発光することができる。また、第１の発光部１０と第２の発光部１１とを交互に並べ、第２の発光部１１の数は、第１の発光部１０の数より少なくすることができる。
【００２８】
これらの結果により、空気清浄機の発光表示部の視認性向上ができるものである。
【００２９】
また、導光体部９の周縁部を囲む横長四角筒形状の枠部１５を設けたものである。これにより、導光体部９の周縁部を横長四角筒形状の枠部１５で囲むことにより、本体外のみに発光させることができ、視認性向上ができるものである。
【００３０】
また、導光体部９は、上方向に傾斜した構成としたものである。具体的には、本体ケース４における前面側から見ると、導光体部９の長方形の面が上方向に傾斜したものである。
【００３１】
すなわち、導光体部９が、上方向に傾斜した構成をとることにより、本体正面と本体正面斜め上方から可視することができ、可視広角度を向上できる。
【００３２】
また、導光体部９の周縁部を囲む横長四角筒形状の枠部１５を設け、この枠部１５は、導光体部９の周縁部の上部を囲む、横長四角平板形状の上部枠部１６と、導光体部９の周縁部の下部を囲む、横長四角平板形状の下部枠部１７と、導光体部９の周縁部の側面部を囲む、台形形状の側面部枠部１８とから形成し、本体ケース４での前面側側面から後面側側面の方向における下部枠部１７の長さは、本体ケース４での前面側側面から後面側側面の方向における上部枠部１６の長さより長い構成としたものである。
【００３３】
すなわち、横長四角平板形状の下部枠部１７を横長四角平板形状の上部枠部１６より本体ケース４における前後方向を長くすることによって、横長四角平板形状の下部枠部１７からの反射光が多くなり、本体ケース４の正面上部に光源を集中することができ、光源を上下の規制をすることによって光源の水平広角度が大きくなることが可能となり、正面と斜め前からの視認性向上することができる。
【００３４】
また、導光体部９の本体ケース４での前面側に、凹凸形状を設けたものである。すなわち、凸凹形状を形成することにより、光源からの入射角を増加させることができ視認角度が広がり視認性向上することができる。
【００３５】
また、導光体部９は、本体ケース４での天面側から底面側への方向において、本体ケース４での前面側へ凸形状の円弧形状で構成したものである。すなわち、凸形状を設けることにより光源からの入射角を増加させることができ視認角度が広がり視認性向上することができる。
【００３６】
また、枠部１５の内面は、白色系の色で構成されたものである。すなわち、白色系で構成することにより光源からの光の通過減衰を低減、つまり反射光を増やすことができることにより視認性向上することができる。
【００３７】
また、枠部１５の内面は、鏡面状で構成されたものである。すなわち、枠部１５を鏡面状にすることにより、光源からの光が、本体内部での拡散を防止することで、本体から照射される光量が減衰しない、つまり反射光を増やすことができるため視認性向上することができる。
【産業上の利用可能性】
【００３８】
以上のように本発明は、空気清浄手段と空気の汚れ度合を色表示する発光表示部とを本体に設け、この発光表示部は、略横長平板形状の導光体部と、複数の第１の発光部と、複数の第２の発光部とから形成し、前記本体は、箱形の形状で、前記導光体部は、略横長四角平板形状で前記本体における前面側面部に位置し、前記第１の発光部は、前記導光体部に対向すると共に、隣り合う前記第１の発光部は、前記導光体部の長手方向において第１の発光部間距離を有して配設し、前記第２の発光部は、前記導光体部に対向すると共に、隣り合う前記第２の発光部は、前記導光体部の長手方向において第２の発光部間距離を有して配設し、前記第１の発光部より発光する可視光の波長は、前記第２の発光部より発光する可視光の波長より長く、前記第１の発光部間距離は、前記第２の発光部間距離より短い構成とした空気清浄機の発光表示装置を備えたものであり、空気清浄機の発光表示部の視認性向上ができるものである。
【００３９】
すなわち、第１の発光部より発光する可視光の波長は、第２の発光部より発光する可視光の波長より長く、第１の発光部間距離は、第２の発光部間距離より短い構成とすることにより、波長の長い可視光は、直進性が強く、広角度が狭く、波長の短い可視光は、直進性が弱く、広角度は広いので、波長の異なる可視光で導光体部に発光した場合に、導光体部での発光が同程度に連続的に発光することができる。
【００４０】
これらの結果により、空気清浄機の発光表示部の視認性向上ができるものである。
【００４１】
従って、家庭用や事務所用などの、空気清浄機の発光表示装置として活用が期待されるものである。
【符号の説明】
【００４２】
１    空気清浄装置
２    吸気口
３    排気口
４    本体ケース
６    送風手段
５    空気清浄フィルター
７    汚れセンサー
８    発光表示部
９    導光体部
１０  第１の発光部
１１  第２の発光部
１２  第１の発光部間距離
１３  第２の発光部間距離
１４  回路基板
１５  枠部
１６  上部枠部
１７  下部枠部
１８  側面部枠部
【図１】
2012032586.tif 000003
【図２】
2012032586.tif 000004
【図３】
2012032586.tif 000005